(57)【要約】【課題】書換えが複数回実行された場合であっても光ディスクの損傷を抑制する光ディスク装置を提供する。【解決手段】録画を開始する場合（スタート）（ステップＳ０）、録画機能として、予約録画機能を選択したものであるのか、通常録画機能を選択したものであるのかを判別する（ステップＳ１）。予約録画機能を選択した場合には外周側から記録すなわち予約録画を実行する（ステップＳ３）。ステップＳ１において、通常録画機能を選択した場合には内周側から記録すなわち通常録画を実行する（ステップＳ２）。光ディスクの内周側からは通常録画が実行され、外周側からは予約録画が実行されることにより、光ディスクの内周側から常に記録が実行されるのではなく外周側からも記録が実行されるため書換えが頻繁に実行された場合であっても内周側への書換えが集中することを回避することができ、光ディスクの内周側での記録頻度の増大に伴う、光ディスクの破損、損傷の確率を抑制することが可能となる。【選択図】図２
2008123639.tif 000002
【特許請求の範囲】
【請求項１】
通常録画機能および予約録画機能を備えた光ディスク装置において、
前記予約録画機能により予約された番組の録画に要する予約録画情報量を算出する予約録画情報算出部と、
通常録画機能および予約録画機能のいずれが選択されたかを判定する録画機能判定部と、
前記録画機能判定部の判定結果に従って、前記通常録画機能を実行する場合には、内周側の記録可能な未記録領域に詰めて記録するために前記内周側の記録可能な未記録領域の先頭未記録位置を記録開始アドレスとして算出し、前記予約録画機能を実行する場合には、外周側の記録可能な未記録領域に詰めて記録するために前記外周側の記録可能な未記録領域の最終未記録位置を記録終了アドレスとして算出するとともに前記記録終了アドレスから前記予約録画情報量に従って記録開始アドレスを算出し、設定するアドレス設定部と、
前記アドレス設定部により設定された記録開始アドレスより、通常録画および予約録画のいずれか一方を実行する録画実行部とを備え、
前記予約録画情報算出部は、番組の録画時間および録画品質に基づいて前記予約録画情報量を算出し、
前記アドレス設定部は、前記予約録画機能を実行する場合に、前記記録終了アドレスから前記予約録画情報量に従って前記記録開始アドレスを算出した際に、前記記録開始アドレスと前記記録終了アドレスとの間に外周側の既記録領域が含まれているかどうかを判定して、含まれている場合には、前記内周側の記録可能な未記録領域の先頭未記録位置を記録開始アドレスに設定する、光ディスク装置。
【請求項２】
通常録画機能および予約録画機能を備えた光ディスク装置において、
前記予約録画機能により予約された番組の録画に要する予約録画情報量を算出する予約録画情報算出部と、
通常録画機能および予約録画機能のいずれが選択されたかを判定する録画機能判定部と、
前記録画機能判定部の判定結果に従って、前記通常録画機能を実行する場合には、内周側の記録可能な未記録領域に詰めて記録するために前記内周側の記録可能な未記録領域の先頭未記録位置を記録開始アドレスとして算出し、前記予約録画機能を実行する場合には、外周側の記録可能な未記録領域に詰めて記録するために前記外周側の記録可能な未記録領域の最終未記録位置を記録終了アドレスとして算出するとともに前記記録終了アドレスから前記予約録画情報量に従って記録開始アドレスを算出し、設定するアドレス設定部と、
前記アドレス設定部により設定された記録開始アドレスより、通常録画および予約録画のいずれか一方を実行する録画実行部とを備える、光ディスク装置。
【請求項３】
前記予約録画情報算出部は、番組の録画時間および録画品質に基づいて前記予約録画情報量を算出する、請求項２に記載の光ディスク装置。
【請求項４】
前記アドレス設定部は、前記予約録画機能を実行する場合に、前記記録終了アドレスから前記予約録画情報量に従って前記記録開始アドレスを算出した際に、前記記録開始アドレスと前記記録終了アドレスとの間に外周側の既記録領域が含まれているかどうかを判定して、含まれている場合には、前記内周側の記録可能な未記録領域の先頭未記録位置を記録開始アドレスに設定する、請求項２に記載の光ディスク装置。
【発明の詳細な説明】
【技術分野】
【０００１】
本発明は、通常録画機能および予約録画機能を備えた光ディスク装置に関する。
【背景技術】
【０００２】
ＤＶＤ−ＲやＤＶＤ−ＲＷといった録画可能な光ディスク媒体（以下、光ディスク）が普及してきており、これらの光ディスクに家庭で簡単に映画等を録画できる家庭用ＤＶＤレコーダも同様に普及してきている。
【０００３】
これらの光ディスクは容量が大きく、１〜２時間程度の映画、テレビ番組等を数タイトル録画することが可能である。
【０００４】
一方、一般的に記録再生装置（光ディスク装置）は、光ディスクのデータ記録が可能な領域において最内周側から外周側へ向かう方向に順次記録される方式となっている。この点で特に書換え可能な光ディスクにおいては、録画および削除を繰り返した際に内周側と外周側とで使用頻度が異なることが判明している。すなわち、記録方式が内周から外周へ向かう方向に記録されるため外周側よりも内周側の使用頻度が高いことが判明している。
【０００５】
したがって、光ディスクの内周側への録画が集中すれば光ディスクが傷みやすく、破損、損傷する確率が高くなる。
【０００６】
なお、本出願人は、発明した結果に基づき、内周側ではなく外周側への記録を実行する記録再生装置（光ディスク装置）について先行技術調査を行なった。この観点においては、引用文献１および２においては、例えば記録すべきデータの容量を求めて、最外周位置を記録終了位置とした上で記録開始位置を割り出して情報を記録する記録再生装置（光ディスク装置）が開示されていた。
【特許文献１】特開２００１−２３３０６号公報
【特許文献２】特開２００４−１３４０２２号公報
【発明の開示】
【発明が解決しようとする課題】
【０００７】
一方、上記引用文献においては、消費電力あるいは高速再生等の観点から光ディスクの外周側への記録が可能な記録再生装置については示されているものの、一般的な使用頻度の観点から光ディスクの内周側が外周側よりも傷みやすいという事実結果に基づいて外周側への記録を実行することについては何ら示されていない。
【０００８】
本発明は、上記のような問題を解決するためになされたものであって、書換えが複数回実行された場合であっても光ディスクの損傷を抑制する光ディスク装置を提供することを目的とする。
【課題を解決するための手段】
【０００９】
本発明に係る光ディスク装置は、通常録画機能および予約録画機能を備えた光ディスク装置において、予約録画機能により予約された番組の録画に要する予約録画情報量を算出する予約録画情報算出部と、通常録画機能および予約録画機能のいずれが選択されたかを判定する録画機能判定部と、録画機能判定部の判定結果に従って、通常録画機能を実行する場合には、内周側の記録可能な未記録領域に詰めて記録するために内周側の記録可能な未記録領域の先頭未記録位置を記録開始アドレスとして算出し、予約録画機能を実行する場合には、外周側の記録可能な未記録領域に詰めて記録するために外周側の記録可能な未記録領域の最終未記録位置を記録終了アドレスとして算出するとともに記録終了アドレスから予約録画情報量に従って記録開始アドレスを算出し、設定するアドレス設定部と、アドレス設定部により設定された記録開始アドレスより、通常録画および予約録画のいずれか一方を実行する録画実行部とを備える。予約録画情報算出部は、番組の録画時間および録画品質に基づいて予約録画情報量を算出する。アドレス設定部は、予約録画機能を実行する場合に、記録終了アドレスから予約録画情報量に従って記録開始アドレスを算出した際に、記録開始アドレスと記録終了アドレスとの間に外周側の既記録領域が含まれているかどうかを判定して、含まれている場合には、録画可能な一部の予約録画情報量を録画するために既記録領域の記録終了アドレスを参照して、予約録画機能を実行する場合における記録開始アドレスを設定し、録画可能な残りの予約録画情報量を録画するために内周側の記録可能な未記録領域の先頭未記録位置を次の記録開始アドレスに設定する。
【００１０】
本発明に係る光ディスク装置は、通常録画機能および予約録画機能を備えた光ディスク装置において、予約録画機能により予約された番組の録画に要する予約録画情報量を算出する予約録画情報算出部と、通常録画機能および予約録画機能のいずれが選択されたかを判定する録画機能判定部と、録画機能判定部の判定結果に従って、通常録画機能を実行する場合には、内周側の記録可能な未記録領域に詰めて記録するために内周側の記録可能な未記録領域の先頭未記録位置を記録開始アドレスとして算出し、予約録画機能を実行する場合には、外周側の記録可能な未記録領域に詰めて記録するために外周側の記録可能な未記録領域の最終未記録位置を記録終了アドレスとして算出するとともに記録終了アドレスから予約録画情報量に従って記録開始アドレスを算出し、設定するアドレス設定部と、アドレス設定部により設定された記録開始アドレスより、通常録画および予約録画のいずれか一方を実行する録画実行部とを備える。
【００１１】
好ましくは、予約録画情報算出部は、番組の録画時間および録画品質に基づいて予約録画情報量を算出する。
【００１２】
好ましくは、アドレス設定部は、予約録画機能を実行する場合に、記録終了アドレスから予約録画情報量に従って記録開始アドレスを算出した際に、記録開始アドレスと記録終了アドレスとの間に外周側の既記録領域が含まれているかどうかを判定して、含まれている場合には、録画可能な一部の予約録画情報量を録画するために既記録領域の記録終了アドレスを参照して、予約録画機能を実行する場合における記録開始アドレスを設定し、録画可能な残りの予約録画情報量を録画するために内周側の記録可能な未記録領域の先頭未記録位置を次の記録開始アドレスに設定する。
【発明の効果】
【００１３】
本発明に係る光ディスク装置は、通常録画機能および予約録画機能を備えた光ディスク装置において、通常録画機能を実行する場合には、内周側の記録可能な未記録領域に詰めて記録するために内周側の記録可能な未記録領域の先頭未記録位置を記録開始アドレスとして算出し、予約録画機能を実行する場合には、外周側の記録可能な未記録領域に詰めて記録するために外周側の記録可能な未記録領域の最終未記録位置を記録終了アドレスとして算出するとともに記録終了アドレスから予約録画情報量に従って記録開始アドレスを算出し、通常録画あるいは予約録画を実行するため、光ディスクの内周側から常に記録が実行されるのではなく外周側からも記録が実行されるため書換えが頻繁に実行された場合であっても内周側への書換えが集中することを回避することができ、光ディスクの内周側での記録頻度の増大に伴う、光ディスクの破損、損傷の確率を抑制することが可能となる。
【発明を実施するための最良の形態】
【００１４】
以下、本発明の実施の形態について図面を参照しながら詳細に説明する。なお、図中同一または相当部分には同一符号を付し、その説明は繰返さない。
【００１５】
図１は、本発明の実施の形態に従う光ディスク装置１の概略ブロック図である。
図１を参照して、光ディスク装置１は、ＣＤおよびＤＶＤの同心円状又は渦巻状の情報記録トラックが形成された光ディスク７０に対して、音楽や映像等の情報の記録及び／又は再生を行なう。なお、本実施の形態に従う光ディスク装置はＣＤおよびＤＶＤコンパチブルの記録／再生が可能な光ディスク装置であるものとする。本実施形態の光ディスク装置１は、例えばＤＶＤ−ＲＷ等の光ディスク７０に対して記録及び再生を行うものとする。また、光ディスク装置１は、録画開始時間、録画終了時間、入力ソース（テレビ番組のチャンネル）の選択等を予め設定して記憶させておくことにより、自動的に録画処理が行なわれるいわゆる予約録画機能および例えば、リモコン等の録画実行釦を押下することにより、選択された入力ソースの録画が指示されて例えば録画停止釦を押下するまで録画が継続されるいわゆる通常録画機能を搭載しているものとする。
【００１６】
光ディスク装置１は、スピンドルモータ３と、光ピックアップ４と、移動モータ５と、レーザ駆動部６と、信号処理部７と、データスライス信号生成部８と、サーボ制御部（フォーカシング制御部、トラッキング制御部）９とを備える。さらに、光ディスク装置１は、映像・音声信号入出力部１０と、リモコン１１と、リモコン受信部１２と、表示部１３と、不揮発性メモリ１５と、上記各部を制御するための制御部２０とを備えている。
【００１７】
光ディスクは、不図示のディスク挿入部から挿入されてディスクトレイに載置されたことが検出され、その信号が制御部２０へ入力される。なお、挿入された光ディスク７０は、スピンドルモータ３に装着される。スピンドルモータ３は、制御部２０からの指示に従い回転駆動され、装着された光ディスク７０が所定速度で回転するように制御される。
【００１８】
光ピックアップ４は、光ディスク７０に対して情報の記録及び／又は再生を行なうための光を照射すると共に、光ディスク７０からの反射光を受光して電気信号に変換出力するものであり、制御部２０からの指示に基づきリニアモータから成る移動モータ５により光ディスク７０上でその半径方向に移動される。
【００１９】
この光ピックアップ４は、半導体レーザ４１から出射された光をコリメートレンズ４２、ビームスプリッタ４３および対物レンズ４４を介して光ディスク７０上に集光照射する。また、光ディスク７０上からの反射光を対物レンズ４４、ビームスプリッタ４３、及び集光レンズ４５を介して光検知器４６で受光する。
【００２０】
半導体レーザ４１は、制御部２０からの指示に応答して動作するレーザ駆動部６によりその発光が制御される。光検知器４６は、受光面が複数の領域に分割され、受光面毎に受光強度に応じた電気信号を出力する分割フォトダイオードから構成されており、光検知器４６からの出力信号は信号処理部７に入力される。
【００２１】
対物レンズ４４は、レンズホルダ４７に保持されており、レンズホルダ４７には、フォーカシングコイル４８と、トラッキングコイル４９が設けられている。フォーカシングコイル４８は、不図示の磁石との磁気作用により、対物レンズ４４を光ディスク７０のディスク面と垂直な方向へ移動させるものである。また、トラッキングコイル４９は、同様に、対物レンズ４４を光ディスク７０のディスク面と平行に光ディスク７０の記録トラックと垂直な方向へ移動させるものである。
【００２２】
信号処理部７は、光検知器４６からの出力信号に基づいて、ＲＦ信号（反射強度）を生成し、データスライス信号生成部８へ出力する。データスライス信号生成部８は、このＲＦ信号を２値化したデータスライス信号を生成し、制御部２０へ入力する。制御部２０では、このデータスライス信号に基づいて、光ディスク７０に形成されているピットを検出する。
【００２３】
また、信号処理部７は、光検知器４６からの出力信号に基づいて、フォーカスエラー信号及びトラックエラー信号を生成し、サーボ制御部９へ出力する。フォーカスエラー信号は、対物レンズ４４を介して光ディスク７０に照射する光の集光点の光ディスク面からのずれ量に対応する信号であり、トラックエラー信号は、集光点の記録トラックからのずれ量に対応する信号である。
【００２４】
サーボ制御部９は、制御部２０からの指示により上記フォーカスエラー信号及びトラックエラー信号に基づいて、フォーカシングコイル４８及びトラッキングコイル４９への電流供給を制御して対物レンズ４４を移動させ、それにより、集光点が光ディスク７０のディスク面上、かつ、記録トラック上に位置するようにサーボ制御する。
【００２５】
映像・音声信号入出力部１０には、不図示のディスプレイやスピーカ、テレビ受像機等の外部装置が接続され、光ディスク７０から再生した映像信号や音声信号の出力や、外部装置からの映像信号や音声信号の入力が行なわれる。
【００２６】
リモコン１１は、光ディスク装置１の各種の動作を操作するためのものであり、各種の動作を操作するための操作キー（何れも不図示）を備えている。リモコン１１は、これらのキーの操作に応じて、対応する信号を赤外線信号で送出する。リモコン受信部１２は、リモコン１１から送出される赤外線信号を受信し、その信号を制御部２０へ出力する。表示部１３は、光ディスク装置１本体のフロントパネルに設けられ、リモコン１１により操作された内容や光ディスク装置１の動作状況等を表示する。具体的には、録画処理、再生処理の切替え、あるいは電源オン・オフ、予約録画機能を用いた番組予約等である。そして、録画処理、再生処理等の状態表示は表示部１３において「ＲＥＣ」、「ＰＬＡＹ」等の記号で表示され、予約録画機能を用いた録画の予約操作は、例えばディスプレイの画面上に公知のＯＳＤ（Ｏｎ Ｓｃｒｅｅｎ Ｄｉｓｐｌａｙ）機能を用いて表示される録画予約項目（予約日、時間、チャンネル等）を、リモコン１１の十字キー等を操作し、画面上のカーソルを移動させることによって行われる。なお、リモコン１１は、通常録画機能を実行するために図示しないが録画実行釦および録画停止釦等が設けられているものとする。なお、リモコン１１に設けられていなくても本体側に設けることも当然に可能である。
【００２７】
不揮発メモリ１５は、光ディスク装置１の動作において必要な各種プログラムを格納しているとともに、制御部２０における計算処理等の格納場所としても用いられる。
【００２８】
ここで、光ディスク７０に対する情報の記録／再生について説明する。まず、光ディスク７０からの情報の再生は、スピンドルモータ３により光ディスク７０を所定速度で回転させながら、半導体レーザ４１からの光を光ディスク７０に照射し、その反射光を光検知器４６で受光する。そして、サーボ制御部９により、信号処理部７からのフォーカスエラー信号に基づいてフォーカシングコイル４８への電流供給を制御して対物レンズ４４を移動させ、半導体レーザ４１からの光の集光点が光ディスク７０面上に位置するようにフォーカスオン（フォーカス引き込み）させる。さらに、サーボ制御部９により、信号処理部７からのトラックエラー信号に基づいてトラッキングコイル４９への電流供給を制御して対物レンズ４４を移動させ、半導体レーザ４１からの光の集光点が所望の記録トラック上に位置するようにトラックオン（トラック引き込み）させる。
【００２９】
フォーカスオン及びトラックオンさせた後は、サーボ制御部９により、フォーカスエラー信号及びトラックエラー信号に基づいてフォーカシングコイル４８及びトラッキングコイル４９への電流供給を制御し、フォーカスオン状態及びトラックオン状態を維持するようにフォーカシングサーボ制御及びトラッキングサーボ制御が行なわれる。
【００３０】
そして、このサーボ状態で信号処理部７から出力されたＲＦ信号がデータスライス信号生成部８に入力され、データスライス信号生成部８によりＲＦ信号を２値化して生成されたデータスライス信号が制御部２０に入力される。制御部２０は、このデータスライス信号を基に光ディスク７０に形成されているピットの有無を検出して光ディスク７０に記録されている情報を読取り、読取った情報を映像信号や音声信号に再生して、映像・音声信号入出力部１０から外部装置へ出力する。
【００３１】
また、光ディスク７０への情報の記録は、同様に、フォーカシング及びトラッキングのサーボ状態で、半導体レーザ４１からの光により光ディスク７０上にピットを形成することにより行なわれる。このとき、映像・音声信号入出力部１０から入力された映像信号や音声信号が制御部２０により符号化され、半導体レーザ４１が、制御部２０による制御のもと、その符号化データに応じて発光制御される。これにより、その符号化データに応じたピットが光ディスク７０の記録トラックに形成され、映像や音声の情報が記録される。ピットの形成は、半導体レーザ４１を情報の読取り時よりも高出力で発光させることにより可能としている。
【００３２】
次に、本発明の実施の形態に従う録画方式について説明する。
図２は、本発明の実施の形態に従う録画の概略を説明するフローチャート図である。
【００３３】
図２を参照して、まず録画を開始する場合（スタート）（ステップＳ０）、録画機能として、予約録画機能を選択したものであるのか、通常録画機能を選択したものであるのかを判別する（ステップＳ１）。
【００３４】
そして、ステップＳ１において、予約録画機能を選択した場合には外周側から記録すなわち予約録画を実行する（ステップＳ３）。そして、終了する（エンド）（ステップＳ４）。一方、ステップＳ１において、通常録画機能を選択した場合には内周側から記録すなわち通常録画を実行する（ステップＳ２）。そして、終了する（エンド）（ステップＳ４）。
【００３５】
図３は、光ディスク７０において本発明の実施の形態に従う録画を実行した場合の一例図である。
【００３６】
図３に示されるように光ディスク７０の内周側からは通常録画が実行され、外周側からは予約録画が実行されている場合が示されている。当該録画方式を実行することにより、光ディスクの内周側から常に記録が実行されるのではなく外周側からも記録が実行されるため書換えが頻繁に実行された場合であっても内周側への書換えが集中することを回避することができ、光ディスクの内周側での記録頻度の増大に伴う、光ディスクの破損、損傷の確率を抑制することが可能となる。
【００３７】
また、記録が可能な領域に対して録画機能に応じて内周側および外周側の記録をそれぞれ実行するため光ディスクの一方側において録画が集中することを回避して満遍なく録画を実行することになる。したがって、使用頻度を分散して光ディスクの破損、損傷の確率を抑制することができる。
【００３８】
なお、通常録画は、ユーザが例えば録画実行釦を押下してから録画停止釦を押下するまで録画が実行される方式であるため録画情報量（録画容量）を予め知ることはできない。それゆえ、仮に外周側から記録を開始する場合、録画情報量に基づいて記録開始位置および記録終了位置を予め定めることはできないが、予約録画は、ユーザによって指示された録画日時、録画開始時間、録画終了時間、入力ソース（テレビ番組のチャンネル）および記録画質（録画品質）等が設定されるため録画情報量を計算することができ、後述するが仮に外周側から記録を開始する場合であっても記録開始位置および記録終了位置を算出して、外周側から詰めてテレビ番組等を録画することが可能である。
【００３９】
図４は、本発明の実施の形態に従う録画処理を説明するフローチャート図である。
図５は、本発明の実施の形態に従う録画処理を実行する制御部２０内部の一部分を説明するブロック図である。
【００４０】
図５を参照して、制御部２０は、制御部２０内部の機能ブロック全体を制御する主制御部２１と、予約録画情報算出部２２と、録画機能判定部２３と、アドレス設定部２４と、録画実行部２５とを含む。予約録画情報算出部２２は、予約録画機能により予約された番組の録画に要する予約録画情報量を算出して主制御部２１に出力する。また、録画機能判定部２３は、光ディスクに対する録画処理において、予約録画機能が選択されたのかあるいは通常録画機能が選択されたかどうかを判定して主制御部２１に出力する。アドレス設定部２４は、必要に応じて予約録画情報量を参照して録画を実行する際において記録開始アドレスおよび記録終了アドレスを算出し、設定する。録画実行部２５は、録画機能判定部２３の判定結果に従い、アドレス設定部２４により設定された記録開始アドレスおよび記録終了アドレスの少なくとも一方に基づいて通常録画あるいは予約録画のいずれか一方の実行を指示する。
【００４１】
図４を参照して、ユーザがリモコン１１等を操作することにより開始（スタート）（ステップＳ１０）され、まず、主制御部２１は、ユーザのリモコン１１等による操作が録画処理の実行の指示であるかどうかを判定する（ステップＳ１１）。
【００４２】
ステップＳ１１において、録画処理の実行の指示であった場合には次のステップＳ１２に進む。
【００４３】
そして、予約録画機能の実行の指示があったかどうかを判定する（ステップＳ１２）。例えばリモコン１１等を用いて例えば番組の予約録画を設定したかどうかを判定する。具体的には、ユーザによって指示された録画日時、録画開始時間、録画終了時間、入力ソース（テレビ番組のチャンネル）および記録画質（録画品質）等の設定があるかどうかを判定する。なお、この判定は、上述した録画機能判定部２３により実行されるものとする。
【００４４】
ステップＳ１２において、録画機能判定部２３の判定結果に基づいて予約録画機能の実行の指示があったと判断された場合には、ステップＳ１３に進み、アドレス設定部２４において、予約録画機能による録画を実行するために記録位置の算出を行なう。具体的には、外周側の記録可能な未記録領域から詰めて記録するために光ディスクの外周側の記録可能な未記録領域の最終未記録位置を記録終了アドレスとして算出する。例えば、光ディスクの記録可能領域のうち最外周の領域において何も記録されていない場合には、光ディスクの最外周の最終未記録位置が記録終了アドレスとして算出されることになる。また、既に、光ディスクの記録可能領域のうち最外周の領域は既記録領域となっている場合には、未記録領域は既記録領域を除く領域となるため、未記録領域の最終未記録位置は、既記録領域の記録開始アドレスを参照することにより、既記録領域と重ならないように記録終了アドレスを算出することが可能である。なお、既記録領域の記録位置を示す記録開始アドレスおよび記録終了アドレスは、光ディスクのいわゆるアドレス管理領域を参照することにより算出することが可能である。以下においても同様である。
【００４５】
そして、予約録画情報量に基づいて算出された記録終了アドレスから記録開始アドレスを算出する（ステップＳ１４）。
【００４６】
なお、予約録画情報量に関しては、予約録画情報算出部２２において、番組の予約録画の設定に基づいて予約録画情報量を算出するものとする。なお、予約録画情報量は、テレビ番組の録画時間および記録画質に基づいて算出される。例えば、高画質モードＸＰ、通常モードＳＰ、長時間モードＬＰ等により記録画質が選択可能となっている場合が一般的であり、当該記録画質のモードに応じて予約録画情報量が変化する。
【００４７】
そして、次に、アドレス設定部２４は、算出された記録開始アドレスと記録終了アドレスまでの予約録画実行領域内に既記録領域が存在するかどうかを判定する（ステップＳ１５）。当該判定は、算出された記録開始アドレスと記録終了アドレスまでの範囲内に既記録領域の記録開始アドレスあるいは記録終了アドレスが含まれているかどうかを参照することにより容易に判定が可能である。
【００４８】
ステップＳ１５において、アドレス設定部２４は、予約録画実行領域内に既記録領域が存在しないと判定される場合には、算出された記録開始アドレスおよび記録終了アドレスを設定する（ステップＳ１６）。そして、録画実行部２５は、設定された記録開始アドレスおよび記録終了アドレスに基づいて予約録画を実行する（ステップＳ１７）。
【００４９】
一方、ステップＳ１２において、予約録画機能の実行の指示がなかった場合、すなわち、通常録画機能の実行の指示があった場合には、ステップＳ２２に進む。
【００５０】
ステップＳ２２において、アドレス設定部２４は、内周側の記録可能な未記録領域から詰めて記録するために光ディスクの内周側の記録可能な未記録領域の先頭未記録位置を記録開始アドレスとして算出する（ステップＳ２２）。例えば、光ディスクの記録可能領域のうち最内周の領域において何も記録されていない場合には、光ディスクの最内周の先頭未記録位置が記録開始アドレスとして算出されることになる。また、既に、光ディスクの記録可能領域のうち最内周の領域は既記録領域となっている場合には、未記録領域は既記録領域を除く領域となるため、未記録領域の記録開始位置は、既記録領域の記録終了アドレスを参照することにより、既記録領域と重ならないように記録開始アドレスを算出することが可能である。
【００５１】
そして、アドレス設定部２４は、算出された記録開始アドレスを設定して（ステップＳ２３）、録画実行部２５は、通常録画を実行する（ステップＳ２４）。なお、この場合、通常録画であるため録画停止釦の押下により録画が停止されるものとする。一般の通常録画であるため詳細な説明は省略する。
【００５２】
一方、ステップＳ１５において、アドレス設定部２４は、予約録画実行領域内において、既記録領域が存在すると判定された場合には、次にステップＳ２０に進む。
【００５３】
そして、アドレス設定部２４は、予約録画について、通常録画の場合と同様にして記録開始アドレスを設定する。具体的には、ステップＳ２２で説明した方式に従って内周側の記録可能な未記録領域の先頭未記録位置を記録開始アドレスとして算出し、設定する（ステップＳ２０）。そして、録画実行部２５は、予約録画を実行する（ステップＳ２１）。
【００５４】
図６は、予約録画を実行する場合の種々のバリエーションを説明する図である。
図６（ａ）を参照して、ここでは、予約録画情報量Ｑ０の予約録画を実行する場合が示されている。この例では、光ディスクの最外周の最終未記録位置が記録終了アドレスＡＤｆとして算出され、そして、予約録画情報量Ｑ０に基づいて記録終了アドレスＡＤｆから記録開始アドレスＡＤａが算出された場合が示されている。そして、この例においては、最外周の領域において何も記録されていない場合であるため、算出された記録開始アドレスＡＤａから記録終了アドレスＡＤｆの予約録画実行領域内において予約録画が実行される。
【００５５】
図６（ｂ）を参照して、ここでは、既記録領域が最外周の領域において記録されている場合である。なお、本例においても予約録画情報量Ｑ０の予約録画を実行する場合が示されている。この例では、光ディスクの記録可能領域のうち最外周の領域は既記録領域となっている場合であるため、未記録領域は既記録領域を除く領域となるため、未記録領域の最終未記録位置は、既記録領域の記録開始アドレスＡＤｃを参照することにより、既記録領域と重ならないように最終未記録位置として記録終了アドレスＡＤｃを算出した場合が示されている。
【００５６】
そして、予約録画情報量Ｑ０に基づいて記録終了アドレスＡＤｃから記録開始アドレスＡＤｂが算出された場合が示されている。
【００５７】
そして、算出された記録開始アドレスＡＤｂから記録終了アドレスＡＤｃの予約録画実行領域内において予約録画が実行される。
【００５８】
図６（ｃ）を参照して、ここでは、光ディスクの記録可能領域のうち最外周の領域において何も記録されていないが、上記の予約録画実行領域内に既記録領域が存在する場合が示されている。上述したように光ディスクの最外周の領域においては、何も記録されていない場合であるため、最終未記録位置が記録終了アドレスＡＤｆとして算出された場合が示されている。そして、図６（ａ）と同様に記録開始アドレスを算出した結果、既記録領域と重なる場合が示されている。また、内周側においては、通常録画が実行されており、既記録領域の記録終了位置を参照して、未記録領域の先頭未記録位置として記録開始アドレスＡＤｈが設定されている。
【００５９】
図６（ｄ）を参照して、図６（ｃ）の状況により、予約録画実行領域内において、既記録領域が存在すると判定された場合には、予約録画について、内周側の記録可能な未記録領域の先頭未記録位置を記録開始アドレスとして設定する。本例においては、光ディスクの記録可能領域のうち最内周の領域は既記録領域となっているため、未記録領域は既記録領域を除く領域となるため、未記録領域の先頭未記録位置は、既記録領域の記録終了アドレスＡＤｈとして算出することが可能である。そして、予約録画実行領域に対して予約録画が実行される。なお、予約録画情報量Ｑ０に基づいて記録終了アドレスＡＤｉがここでは一例として示されている。
【００６０】
したがって、本発明の実施の形態に従う録画処理を実行することにより、光ディスクの内周側から常に記録が実行されるのではなく外周側からも記録が実行されるため書換えが頻繁に実行された場合であっても内周側への書換えが集中することを回避することができ、光ディスクの内周側での記録頻度の増大に伴う、光ディスクの破損、損傷の確率を抑制することが可能となる。
【００６１】
また、記録が可能な領域に対して録画機能に応じて内周側および外周側の記録をそれぞれ実行するため光ディスクの一方側において録画が集中することを回避して満遍なく録画を実行することになる。したがって、使用頻度を分散して光ディスクの破損、損傷の確率を抑制することができる。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】本発明の実施の形態に従う光ディスク装置１の概略ブロック図である。
【図２】本発明の実施の形態に従う録画の概略を説明するフローチャート図である。
【図３】光ディスク７０において本発明の実施の形態に従う録画を実行した場合の一例図である。
【図４】本発明の実施の形態に従う録画処理を説明するフローチャート図である。
【図５】本発明の実施の形態に従う録画処理を実行する制御部２０内部の一部分を説明するブロック図である。
【図６】予約録画を実行する場合の種々のバリエーションを説明する図である。
【符号の説明】
【００６４】
１  光ディスク装置、３  スピンドルモータ、４  光ピックアップ、５  移動モータ、６  レーザ駆動部、７  信号処理部、８  データスライス信号生成部、９  サーボ制御部、１０  映像・音声信号入出力部、１１  リモコン、１２  リモコン受信部、１３  表示部、１５  不揮発メモリ、２０  制御部、２１  主制御部、２２  予約録画情報算出部、２３  録画機能判定部、２４  アドレス設定部、２５  録画実行部。
【図１】
2008123639.tif 000003
【図２】
2008123639.tif 000004
【図３】
2008123639.tif 000005
【図４】
2008123639.tif 000006
【図５】
2008123639.tif 000007
【図６】
2008123639.tif 000008